(57)【特許請求の範囲】
【請求項１】
座部及び背凭れ部を有した椅子本体と；
両側壁及び中間壁を有し、これら側壁と中間壁との間に上面及び前後両端を開放して前記椅子本体に座った使用者の下肢が出し入れされる一対の施療凹部が形成された肢体受け、及び前記施療凹部の内側面をなす前記中間壁の両側面及び前記両側壁の内側面の夫々に前後方向に並べて複数配設された脚用空気袋を有して、前記座部の前端に連なるように前方に突出する第１位置と前記椅子本体の前端部下部に立てた姿勢となる第２位置とに亘って移動可能に前記椅子本体に取付けられた脚載置部と；
前記各脚用空気袋に連通して設けられこれら脚用空気袋にエアーを給排気するエアー給排気装置と；
を具備した椅子式エアーマッサージ機において、
前記肢体受けの前後方向に並んだ複数の空気袋が一体に連続された空気袋ユニットをなしていて、前後方向に並んだ空気袋がそれらより細い連通路で連通されているとともに、前記座部への取付け側である前記肢体受けの前部側に位置された前記空気袋ユニットの一端部が前記施療凹部内側面に固定され、この固定された一端部よりも前記肢体受けの奥側に位置された前記空気袋ユニットの他端部を自由端部とし、
前記エアー給排気装置で、前記自由端部側の空気袋を通して前記固定された一端部側の空気袋に向けて前記複数の空気袋を順次膨脹させるとともに、先に膨脹した空気袋が膨脹状態を持続している間に、この空気袋よりも前記固定された一端部側に隣接した次の空気袋を膨脹させるようにしたことを特徴とする椅子式エアーマッサージ機。
【請求項２】
座部及び背凭れ部を有した椅子本体と；
両側壁及び中間壁を有し、これら側壁と中間壁との間に上面及び前後両端を開放して前記椅子本体に座った使用者の下肢が出し入れされる一対の施療凹部が形成された肢体受け、及び前記施療凹部の内側面をなす前記中間壁の両側面及び前記両側壁の内側面の夫々に前後方向に並べて複数配設された脚用空気袋を有して、前記座部の前端に連なるように前方に突出する第１位置と前記椅子本体の前端部下部に立てた姿勢となる第２位置とに亘って移動可能に前記椅子本体に取付けられた脚載置部と；
前記各脚用空気袋に連通して設けられこれら脚用空気袋にエアーを給排気するエアー給排気装置と；
を具備した椅子式エアーマッサージ機において、
前記肢体受けの前後方向に並んで独立して膨張・収縮される複数の空気袋が一体に連続されて空気袋ユニットをなしているとともに、前記座部への取付け側である前記肢体受けの前部側に位置された前記空気袋ユニットの一端部が前記施療凹部内側面に固定され、この固定された一端部よりも前記肢体受けの奥側に位置された前記空気袋ユニットの他端部を自由端部とし、前記エアー給排気装置で、前記空気袋ユニットの各空気袋の夫々を同期して膨脹させるようにしたことを特徴とする椅子式エアーマッサージ機。
【発明の詳細な説明】
【０００１】
【発明の属する技術分野】
本発明は、空気袋の膨脹・収縮によって使用者の下肢（脚）に対するマッサージを行う椅子式エアーマッサージ機に関する。
【０００２】
【従来の技術】
例えば脚をマッサージするエアーマッサージ機には、単能機として使用されるものと、椅子式マッサージ機のオットマン（脚載置部）として使用されるものが知られている。これらに使用されるエアーマッサージ機は、上面及び前後両端を開放してほぼＵ字状をなした施療凹部の相対向する凹部内側面に夫々空気袋を配設して、これら空気袋にエアー給排気装置によりエアーを給排気して、各空気袋の膨脹・収縮を繰返すことにより、施療凹部に収容された使用者の脚を圧迫・弛緩させてマッサージするように構成されている。
【０００３】
このようなエアーマッサージ機において、施療凹部の凹部内側面に個別に配設される一対の空気袋は、互いに一体に接続されており、これら空気袋間の接続部が施療凹部の底面に固定されている。又、このような空気袋の取付けに代えて、施療凹部の凹部内側面に個別に配設される一対の空気袋を夫々独立させて、それらの四隅若しくは互いに平行な二辺を凹部内側面に固定することで空気袋を取付けることも行われている。
【０００４】
ところで、マッサージを受ける者の脚等をマッサージする場合等において、マッサージを受ける者の心臓に向かうように揉み上げながらマッサージをすることは、心臓方向への血流を促すのでマッサージ上好ましいとされている。
【０００５】
しかし、既述した従来の空気袋取付け構造では、空気袋が膨脹して施療凹部内の脚等を圧迫する場合に、単に圧迫することしかできず、前記のような好ましいマッサージ動作を得ることはできず、その改善が求められている。
【０００６】
又、空気袋の周部を固定する後者の空気袋取付け構造では、個々の空気袋を凹部内側面に固定するのに必要とされる固定部品の数が多く、それに伴い組立て等に手間が掛かるので、コスト高である。
【０００７】
【発明が解決しようとする課題】
本発明が解決しようとする課題は、空気袋の取付け構造が簡単で、かつ、施療凹部に収容された使用者の下肢にその体軸方向に沿う力を与えつつ前記下肢をマッサージできる椅子式エアーマッサージ機を得ることにある。
【０００８】
【課題を解決するための手段】
前記課題を解決するために、本発明は、座部及び背凭れ部を有した椅子本体と；両側壁及び中間壁を有し、これら側壁と中間壁との間に上面及び前後両端を開放して前記椅子本体に座った使用者の下肢が出し入れされる一対の施療凹部が形成された肢体受け、及び前記施療凹部の内側面をなす前記中間壁の両側面及び前記両側壁の内側面の夫々に前後方向に並べて複数配設された脚用空気袋を有して、前記座部の前端に連なるように前方に突出する第１位置と前記椅子本体の前端部下部に立てた姿勢となる第２位置とに亘って移動可能に前記椅子本体に取付けられた脚載置部と；前記各脚用空気袋に連通して設けられこれら脚用空気袋にエアーを給排気するエアー給排気装置と；を具備した椅子式エアーマッサージ機において、
前記肢体受けの前後方向に並んだ複数の空気袋が一体に連続された空気袋ユニットをなしていて、前後方向に並んだ空気袋がそれらより細い連通路で連通されているとともに、前記座部への取付け側である前記肢体受けの前部側に位置された前記空気袋ユニットの一端部が前記施療凹部内側面に固定され、この固定された一端部よりも前記肢体受けの奥側に位置された前記空気袋ユニットの他端部を自由端部とし、前記エアー給排気装置で、前記自由端部側の空気袋を通して前記固定された一端部側の空気袋に向けて前記複数の空気袋を順次膨脹させるとともに、先に膨脹した空気袋が膨脹状態を持続している間に、この空気袋よりも前記固定された一端部側に隣接した次の空気袋を膨脹させるようにしたことを特徴とする。
【０００９】
この発明において、空気袋には施療凹部内に収容された下肢を圧迫する指圧凸部が付加されていてもよいとともに、施療凹部の底面に施療突起又は他の施療用空気袋が付加されていてもよい。
【００１０】
この発明においては、エアー給排気装置の給気動作に従い施療凹部の凹部内側面に固定されている空気袋が膨脹するときには、空気袋は、その自由端部が凹部内側面から施療凹部の幅方向中央部に向けて動く挙動を伴って、この自由端部を固定端部側に寄せながら膨脹する。それにより、膨脹する空気袋は施療凹部に収容されている使用者の下肢に対して肢体受けの前方向への力を与えつつ、前記下肢を圧迫できる。しかも、空気袋はその前端部のみを凹部内側面に固定して設けられているため、この空気袋の固定に要する固定部品の数を少なくできる。
【００１５】
更に、この発明においては、施療凹部に収容されている下肢の複数箇所に対して肢体受けの前方向への力を空気袋の並び方向に順番に与えつつ、前記下肢を前記順番で圧迫できる。そのため、並べられた各空気袋の膨脹・収縮の繰り返しにより、使用者の心臓に向かう血流を促して恰も揉み上げるようなマッサージすることができる。
【００１７】
しかも、この場合、先に膨脹した空気袋が膨脹完了状態にある時に、この空気袋よりも固定端部側に隣接した空気袋が膨脹するので、この次の空気袋の膨脹に伴い既に膨脹完了状態にある先の空気袋を固定端部側に引き寄せることができる。
【００１９】
つまり、空気袋が膨脹するときに、空気袋は、その固定端部側、つまり、肢体受けの前側に向けて自由端部を寄せながら膨脹して、施療凹部の下肢に対し使用者の心臓に向かう血流を促して恰も揉み上げるような力を与えつつ、前記下肢を圧迫することができる。
【００２２】
【発明の実施の形態】
以下、図１〜図６を参照して本発明の第１参考例を説明する。
【００２３】
この第１参考例に係る椅子式エアーマッサージ機の全体構成を示す図１中符号１で示すマッサージ機本体としての椅子本体は、座部２と、背凭れ部３とを有している。
【００２４】
座部２は、椅子本体１の支持枠１ａで下端を連結された左右一対（一方のみ図示）の板状をなす支持脚１ｂの上端間に渡って略水平に設けられていて、その幅方向両側には肘掛部２ａが設けられている。背凭れ部３は、座部２の後端部において、この座部２に対して所定の角度傾斜して設けられている。なお、肘掛部２ａは省略してもよいし、又、背凭れ部３はリクライニング動作ができるように座部２の後方において起倒可能に設けてもよい。
【００２５】
座部２の前部には椅子本体１に座った使用者の腿部をマッサージするための腿用空気袋４が設けられ、座部２の後部には前記使用者の尻部をマッサージするための尻用空気袋５が設けられている。これら空気袋４、５は、気密性を有する合成樹脂材料を用いて細長い偏平な袋に形成されていて、夫々座部２の幅方向に延びて配設されている。これら空気袋４、５に対する後述の圧縮空気の給排気に伴い膨脹・収縮をする。
【００２６】
背凭れ部３の下端部には前記使用者の腰部をマッサージするための腰用空気袋６ａ、６ｂが配設され、背凭れ部３の上端部には前記使用者の首部及び肩部をマッサージする首肩用空気袋８ａ、８ｂが配設されている。さらに、背凭れ部３には、首肩用空気袋８ａ、８ｂの下方に位置して前記使用者の背中部をマッサージする背中用空気袋７ａ、７ｂが配設されているとともに、この背中用空気袋７ａ、７ｂと腰用空気袋６ａ、６ｂとの間に位置して前記使用者の背筋をマッサージする背筋用空気袋９が配設されている。
【００２７】
一対の腰用空気袋６ａ、６ｂ、一対の首肩用空気袋８ａ、８ｂ、及び一対の背中用空気袋７ａ、７ｂは、夫々背凭れ部３の幅方向に並設されている。背筋用空気袋９は背凭れ部３の幅方向中央において、この背凭れ部３の長手方向（縦方向）に延びていて、前記使用者の背筋位置に対応するように設けられている。
【００２８】
これら各空気袋６ａ、６ｂ、７ａ、７ｂ、８ａ、８ｂ、及び９は、前記空気袋４、５と同様に気密性を有する合成樹脂材料を用いて偏平な袋に形成されていて、圧縮空気の給排気に伴い膨脹・収縮をする。なお、各空気袋６ａ、６ｂ、７ａ、７ｂ、８ａ、８ｂ、及び９には、夫々給排気口（図示しない）が設けられている。これらの給排気口には夫々対応する給排気管２７〜３２（図６参照）が後述のように接続されている。これらの管２７〜３２は軟質ビニル管等の可撓性を有するエアーチューブ等からなる。そして、以上のように各空気袋６ａ、６ｂ、７ａ、７ｂ、８ａ、８ｂ、及び９が配設された椅子本体１は、柔軟性を有した表布１０によりカバーされているとともに、この表布１０で覆われた支持脚１ｂの外側面にはポケット状をなす収容部１１が設けられている。この収容部１１には入力手段としての後述のリモートコントローラ３５が挿脱可能に差し込み保持される。
【００２９】
椅子本体１の前端部には脚載置部１２が連結されている。この載置部１２は、椅子本体１の両肘掛部２ａの前端部直下に位置して一対の支持脚１ｂに渡って横架された枢軸１４に取付けられていて、座部２の前端部に連なっている。枢軸１４を中心として回動可能な脚載置部１２は、図示しないラチェット機構等からなる位置決め手段により複数の傾斜角度に位置決めされるように設けられている。それにより、脚載置部１２を座部２の前端に連なるようにその前方に突出しかつ下側に多少傾斜した姿勢（図示しない）となる第１位置に位置決めでき、使用者が座部２に腰掛けたとき、脚を傾斜配置の脚載置部１２上に載置できるようになっている。なお、図１は脚載置部１２を椅子本体１の前端部下部に立てた姿勢となる第２位置に収容配置した状態であり、これら第１、第２位置に亘って脚載置部１２は移動可能である。
【００３０】
図１〜図４に示すように脚載置部１２は、その幅方向両側に夫々側壁１２ａ、１２ｂを有しているとともに、幅方向中央位置に中間壁１２ｃを有した肢体受け１３を備えている。側壁１２ａ、１２ｂ及び中間壁１２ｃは平行であって、隣接する側壁１２ａ、１２ｃ間に略Ｕ字状の施療凹部１２ｄと、隣接する側壁１２ｂ、１２ｃ間に略Ｕ字状の施療凹部１２ｅとを夫々形成している。施療凹部１２ｄ、１２ｅは、その上面及び長手方向両端（前後両端）が夫々開放された構成であって、その内部には使用者の脚（下肢）が出し入れされる。これら施療凹部１２ｄ、１２ｅは、脚の太さ方向の断面の大きさの略全体を収容できる大きさに形成されている。
【００３１】
右脚用の施療凹部１２ｄを相互間に作る側壁１２ａと中間壁１２ｃの相対向する凹部内側面には、夫々１又は複数の空気袋、例えば２個の空気袋が夫々配設されている。つまり、側壁１２ａの凹部内側面には、右脚用第１空気袋１５ａと右脚用第２空気袋１５ｂとが、施療凹部１２ｄが伸びる方向、言い換えれば、肢体受け１３の前後方向に並べて取付けられている。又、側壁１２ａと対向する中間壁１２ｃの凹部内側面には、右脚用第３空気袋１５ｃと右脚用第４空気袋１５ｄとが、施療凹部１２ｄが伸びる方向、言い換えれば、肢体受け１３の前後方向に並べて取付けられている。なお、本明細書において、肢体受け１３の「前」「後」は使用者を基準として定められており、椅子本体１に座った使用者の心臓に近い側、つまり、座部２への取付け側を「前」と称し、かつ、前記心臓に対して遠い側を「奥」と称している。
【００３２】
同様に、左脚用の施療凹部１２ｅを相互間に作る側壁１２ｂと中間壁１２ｃの相対向する凹部内側面にも、夫々１又は複数の空気袋、例えば２個の空気袋が夫々配設されている。つまり、側壁１２ｂの凹部内側面には、左脚用第１空気袋１６ａと左脚用第２空気袋１６ｂとが、施療凹部１２ｄが伸びる方向、言い換えれば、肢体受け１３の前後方向に並べて取付けられている。又、側壁１２ｂと対向する中間壁１２ｃの凹部内側面には、左脚用第３空気袋１６ｃと左脚用第４空気袋１６ｄとが、施療凹部１２ｄが伸びる方向、言い換えれば、肢体受け１３の前後方向に並べて取付けられている。
【００３３】
各空気袋１５ａ〜１５ｄ、１６ａ〜１６ｄは、気密性を有するとともに剛性樹脂材料を用いて偏平な四角形状の袋に形成されていて、圧縮空気の給排気に伴い膨脹・収縮をするものであり、膨脹したとき施療凹部１２ｄ、１２ｅ内の使用者の脚を両側から包み込むように挟み得る大きさに形成されている。
【００３４】
各空気袋１５ａ〜１５ｄ、１６ａ〜１６ｄは、夫々独立したものであって、図２及び図５に示すように一端部に非膨脹部からなる固定端部Ａを有し、この端部Ａを挿通する複数の固定部品Ｂを介して肢体受け１３に夫々固定されている。各固定部品Ｂには、たとえば短い軸の一端部が矢尻状の挿入ヘッドをなし他端部に円板状の押さえ板を有してなる、いわゆるアンカークリップが使用されている。これらの固定部品Ｂは、その挿入ヘッドを、固定端部Ａに挿通させるとともに、前記凹部内側面に予め開けられた小穴からなる固定孔に挿入し引っ掛けるワンタッチ挿入操作により、その押さえ板と前記凹部内側面との間に固定端部Ａを挟んで各空気袋１５ａ〜１５ｄ、１６ａ〜１６ｄを固定するものである。
【００３５】
各空気袋１５ａ〜１５ｄ、１６ａ〜１６ｄは、その固定端部Ａのみを、肢体受け１３の前後方向の一端側、例えば前側に配して各凹部内側面に夫々固定されている。従って、これら空気袋１５ａ〜１５ｄ、１６ａ〜１６ｄの他端部は自由端部Ｃをなしており、そして、既述の取付けにより肢体受け１３の前後方向に並べられた各空気袋１５ａ〜１５ｄ、１６ａ〜１６ｄは、いずれも自由端部Ｃを同一方向に向けて固定されている。
【００３６】
なお、各空気袋１５ａ〜１５ｄ、１６ａ〜１６ｄの凹部内側面に接する裏面には、その固定端部Ａ側に寄せて給排気口（図示しない）が設けられている。これらの給排気口には夫々対応する給排気管３３（図６参照）が後述のように接続されている。これらの管３３は軟質ビニル管等の可撓性を有するエアーチューブ等からなる。そして、以上のように各空気袋１５ａ〜１５ｄ、１６ａ〜１６ｄが配置された脚載置部１２の表面は、柔軟性を有した表布１７によりカバーされている。
【００３７】
前記椅子本体１の下部、つまり座部２の下側空間にはユニット化されたエアー給排気装置３４が配置されている。この装置３４は、図６に示されるようにエアーコンプレッサー１８、フィルタータンク１９、分配切換器２０、電磁開閉弁２１及び制御装置２２を備えて形成されている。
【００３８】
詳しくは、エアーコンプレッサー１８は圧縮空気供給手段として用いられるものであって、その圧縮空気吐出口には供給管２５を介してフィルタータンク１９が接続されている。フィルタータンク１９は、エアーコンプレッサー１８から供給された圧縮空気の脈動を吸収して圧縮空気流を平滑にするために使用されている。このタンク１９の出口には供給管２６が接続されており、この供給管２６は２本の分岐供給管２６ａ、２６ｂに分岐されている。一方の分岐供給管２６ａの先端は空気分配手段としての分配切換器２０に接続され、他方の分岐供給管２６ｂの先端は弁手段としての電磁開閉弁２１に接続されている。
【００３９】
分配切換器２０は、この種エアー式マッサージ機に用いられている周知のモータ等により駆動される流路切換用のロータを有したロータリー弁であって、分岐供給管２６ａが接続される一つの吸気ポートと、各給排気管２７〜３２が個別に接続される複数の分配ポートと、一つの排気ポートとを有しており、その流路切換用のロータの回転により、任意に選択された分配ポートと吸気ポートとを連通するとともに、選択されなかった分配ポートを排気ポートに連通させて、非脚用の各空気袋についての選択的給気と選択的排気とができるように形成されている。
【００４０】
給排気管２７は前記腿用空気袋４に接続され、給排気管２８は前記尻用空気袋５に接続され、給排気管２９はさらに分岐されて前記腰用空気袋６ａ、６ｂに個別に接続され、給排気管３０は前記背筋用空気袋９に接続され、給排気管３１はさらに分岐されて前記背中用空気袋７ａ、７ｂに個別に接続され、給排気管３２はさらに分岐されて前記首肩用空気袋８ａ、８ｂに個別に接続されている。
【００４１】
電磁開閉弁２１には脚用の給排気管３３が接続され、この管３３は一対の分岐給排気管３３ａ、３３ｂに分岐されている。一方の分岐給排気管３３ａはさらに４本に分岐されて前記右脚用の第１〜第４の空気袋１５ａ〜１５ｄに個別に接続され、他方の分岐給排気管３３ｂも更に４本に分岐されて前記左脚用の第１〜第４の空気袋１６ａ〜１６ｄに個別に接続されている。電磁開閉弁２１は流路を閉じた時に脚用の各空気袋１５ａ〜１５ｄ、１６ａ〜１６ｄを夫々大気中に連通させる排気ポ−トを有している。
【００４２】
制御手段としての前記制御装置２２は、図示しない中央演算処理装置ＣＰＵ、リードオンメモリＲＯＭ、ランダムアクセスメモリＲＡＭ等を備える周知のマイクロコンピュータからなるものである。この制御装置２２には各種の動作モードを実行させるプログラムが格納されており、その選択された動作モードにしたがってエアーコンプレッサー１８、分配切換器２０、及び電磁開閉弁２１の動作を制御して、各空気袋に対する選択的給排気を行わせるように構成されている。
【００４３】
なお、各種動作モードとしては、全身マッサージコース、上半身マッサージコース、及び下半身マッサージコースのコース別動作モードと、首肩、背中、背筋、腰、尻、腿、及び脚の各身体部分を単独にマッサージするポイントマッサージ動作モード、及び前記コース別動作モードと脚用ポイントマッサージ動作モード以外の各ポイントマッサージ動作モードに対して脚用ポイントマッサージ動作モードを同時に実施させる脚同期マッサージ動作モードとが設定されている。前記各動作モードは、入力装置としてのリモートコントローラ３５により入力される。
【００４４】
前記構成の椅子式エアーマッサージ機において、脚用ポイントマッサージ動作モードがリモートコントローラ３５により指定されたときには、制御装置２２により電磁開閉弁２１が開かれる。この場合エアーコンプレッサー１８が断続運転されるため、その運転時には、脚載置部１２の右脚用の各空気袋１５ａ〜１５ｄ及び左脚用の各空気袋１６ａ〜１６ｄの夫々が同期して膨脹され、運転停止時には右脚用の各空気袋１５ａ〜１５ｄ及び左脚用の各空気袋１６ａ〜１６ｄの夫々が脚の重さを受けて同期して収縮される。
【００４５】
こうして各脚用空気袋１５ａ〜１５ｄ、１６ａ〜１６ｄが膨脹・収縮を繰返すに伴い、椅子本体１に腰掛けて脚載置部１２の一対の施療凹部１２ｄ、１２ｅに個別に収容された使用者の両脚（下肢）を、その幅方向両側から前記空気袋１５ａ〜１５ｄ又は１６ａ〜１６ｄで圧迫・弛緩させつつ、これら両脚に対してマッサージを施すことができる。なお、脚同期マッサージ動作モードが選択されたときには、脚載置部１２において以上のマッサージ動作が営まれる他に、座部２の空気袋４又は５、及び背凭れ部３の空気袋６ａ、６ｂ、７ａ、７ｂ、８ａ、８ｂ、及び９のうちの少なくとも一つ（一種類）の空気袋の膨脹・収縮動作が同時に営まれて、その選択された空気袋の位置に対応する身体部分に対するマッサージが施されるものである。
【００４６】
使用者の脚へのマッサージの際に、各脚用空気袋１５ａ〜１５ｄ、１６ａ〜１６ｄが収縮した状態を、説明の便宜上図４中実線で描いた左脚用空気袋１６ａ〜１６ｄで代表して示し、各脚用空気袋１５ａ〜１５ｄ、１６ａ〜１６ｄが膨脹した状態を、説明の便宜上図４中実線で描いた右脚用空気袋１５ａ〜１５ｄで代表して示す。同様に、図４中左脚用空気袋１６ａ〜１６ｄについて二点鎖線で示した状態は膨脹状態であり、又、右脚用空気袋１５ａ〜１５ｄについて二点鎖線で示した状態は収縮状態である。なお、第１参考例では既述のように各脚用空気袋１５ａ〜１５ｄ、１６ａ〜１６ｄは同期して膨脹・収縮を営むから、図４のように一方が膨脹、他方が収縮するということはない。
【００４７】
この図４に示されるように各脚用空気袋１５ａ〜１５ｄ、１６ａ〜１６ｄが夫々同期して膨脹するときには、各空気袋１５ａ〜１５ｄ、１６ａ〜１６ｄの前側の固定端部Ａが脚体受け１３の前側に向けて各凹部内側面に固定されているから、各空気袋１５ａ〜１５ｄ、１６ａ〜１６ｄは、その自由端部Ｃが凹部内側面から施療凹部１２ｄ又は１２ｅの幅方向中央部に向けて動く挙動を伴って、この自由端部Ｃを固定端部Ａ側に寄せながら膨脹する。図４中寸法Ｄは自由端部Ｃの前側への変位量を示している。
【００４８】
こうした膨脹形態によって、各空気袋１５ａ〜１５ｄ、１６ａ〜１６ｄは、施療凹部１２ｄ、１２ｅに収容されている使用者の脚に対して、この脚の体軸方向前側、つまり、肢体受け１２の前方向への力を与えつつ脚を圧迫できる。この場合、前後方向に並んだ一対の右脚用の空気袋１５ａ，１５ｂと、１５ｃ，１５ｄとにより、右脚にその両側２箇所に対して前方向の力を与えつつ右脚を圧迫できるとともに、同じく、前後方向に並んだ一対の左脚用の空気袋１６ａ，１６ｂと、１６ｃ，１６ｄとにより、左脚にその両側２箇所に対して前方向の力を与えつつ左脚を圧迫できる。それにより、使用者の心臓に向かう血流を促して恰も揉み上げるようなマッサージが複数箇所同時に行われるので、血行促進上有効なマッサージができる。
【００４９】
しかも、既述のように膨脹する脚用の各空気袋１５ａ〜１５ｄ、１６ａ〜１６ｄによって、施療凹部１２ｄ、１２ｅ内の使用者の脚に対して肢体受け１３の前方向への力を与えるので、それに応じた分、各空気袋１５ａ〜１５ｄ、１６ａ〜１６ｄが施療凹部１２ｄ、１２ｅ内の脚を押出す作用を減らすことができる。したがって、各脚用空気袋１５ａ〜１５ｄ、１６ａ〜１６ｄの膨脹に伴って、脚を効果的に圧迫しつつマッサージすることができる。
【００５０】
又、既述のように脚用の各空気袋１５ａ〜１５ｄ、１６ａ〜１６ｄを肢体受け１３に固定するのに、これら空気袋１５ａ〜１５ｄ、１６ａ〜１６ｄは、その前側の固定端部Ａのみを施療凹部１２ｄ、１２ｅの凹部内側面に固定して設けられているため、これら空気袋１５ａ〜１５ｄ、１６ａ〜１６ｄの固定に要する固定部品Ｂの数を少なくできるとともに、それに伴い各空気袋１５ａ〜１５ｄ、１６ａ〜１６ｄの組付けに要する工数を削減できる。したがって、各空気袋１５ａ〜１５ｄ、１６ａ〜１６ｄの取付け構造が簡単でかつ安価に各空気袋１５ａ〜１５ｄ、１６ａ〜１６ｄを肢体受け１３に設けることができ、この肢体受け１３のコストひいては椅子式エアーマッサージ機のコストを低減するのに役立つ。
【００５１】
図７及び図８は本発明の第２参考例を示している。この第２参考例は、基本的には前記第１参考例と同じであるので、第１参考例と同一の構成については第１参考例と同一符号を付して、その説明を省略し、以下第１参考例とは異なる構成及び作用のみを説明する。
【００５２】
第２参考例が第１参考例と相違する点は、凹部内側面に固定された複数の空気袋を、例えば３以上設けるとともに、そのうちの肢体受け１３の前後方向に隣接している空気袋相互を重なり合うように設けた点である。図７及び図８において、１５ｅは右脚用施療凹部１２ｄの一方の凹部内側面に前後方向に並んで固定された空気袋１５ａ、１５ｂと同列に並べて追加された他の空気袋、１５ｆは右脚用施療凹部１５の他方の凹部内側面に前後方向に並んで固定された空気袋１５ｃ、１５ｄと同列に並べて追加された他の空気袋、又、１６ｅは左脚用施療凹部１２ｅの一方の凹部内側面に前後方向に並んで固定された空気袋１６ａ、１６ｂと同列に並べて追加された他の空気袋、１６ｆは左脚用施療凹部１２ｅの他方の凹部内側面に前後方向に並んで固定された空気袋１６ｃ、１６ｄと同列に並べて追加された他の空気袋を示している。
【００５３】
そして、右脚用施療凹部１２ｄにおいて互いに隣接している空気袋１５ａの固定端部Ａ側と空気袋１５ｂの自由端部Ｃ側とは互いに重なり合っており、又、互いに隣接している空気袋１５ｂの固定端部Ａ側と空気袋１５ｅの自由端部Ｃ側とは重なり合っている。そして、同右脚用施療凹部１２ｄにおいて互いに隣接している空気袋１５ｃの固定端部Ａ側と空気袋１５ｄの自由端部Ｃ側とは互いに重なり合っており、又、互いに隣接している空気袋１５ｄの固定端部Ａ側と空気袋１５ｆの自由端部Ｃ側とは重なり合っている。同様に、左脚用施療凹部１２ｅにおいて互いに隣接している空気袋１６ａの固定端部Ａ側と空気袋１６ｂの自由端部Ｃ側とは互いに重なり合っており、又、互いに隣接している空気袋１６ｂの固定端部Ａ側と空気袋１６ｅの自由端部Ｃ側とは重なり合っている。そして、同左脚用施療凹部１２ｅにおいて互いに隣接している空気袋１６ｃの固定端部Ａ側と空気袋１６ｄの自由端部Ｃ側とは互いに重なり合っており、又、互いに隣接している空気袋１６ｄの固定端部Ａ側と空気袋１６ｆの自由端部Ｃ側とは重なり合っている。
【００５４】
なお、以上の点以外の構成は、図７及び図８に図示されない構成を含めて前記第１参考例と同じである。従って、この第２参考例においても、前記課題を解決することができる。しかも、前後方向に並設された空気袋のうち隣接している空気袋同士が重なり合っているので、空気袋を高密度に設けることができる。したがって、施療凹部１２ｄ、１２ｅ内の脚に対する圧迫箇所が増えることに伴い、使用者の心臓に向かう血流を促して恰も揉み上げるように脚に対して肢体受け１３の前方向の力を与えながらマッサージをする箇所を増やすことができ、血行促進上において、より有効なマッサージができる。
【００５５】
図９〜図１１は本発明の第１実施形態を示している。この第１実施形態は、基本的には前記第１参考例と同じであるので、第１参考例と同一の構成については第１参考例と同一符号を付して、その説明を省略し、以下第１参考例とは異なる構成及び作用のみを説明する。
【００５６】
第１実施形態が第１参考例と相違する点は、凹部内側面に前後方向に並べて配設される複数の空気袋を互いに独立させることなく、一体に連続させた空気袋ユニット４１とし、かつ、前後方向に隣接した空気袋の膨脹タイミングをずらした点にある。
【００５７】
すなわち、各空気袋ユニット４１は同一の構成であるため、ここでは図１０に示す左脚用の空気袋１６ｃ、１６ｄを有する空気袋ユニット４１で代表して説明する。このユニット４１は、固定端部Ａ側に空気袋１６ｄが設けられ、自由端部Ｃ側に空気袋１６ｃが設けられていて、これら空気袋１６ｃ、１６ｄは細い連通路４２を介して互いに連通されている。連通路４２は、その両側部分を熱融着することによって、これら熱融着部４３間に形成されている。又、自由端部Ｃ側に位置する空気袋１６ｃの裏面にのみ給排気口４４が設けられている。
【００５８】
したがって、左脚用施療凹部１２ｅの凹部内側面に肢体受け１３の前後方向に並んだ複数の空気袋１６ｃ、１６ｄの内で固定端部Ａ側の空気袋１６ｄは、自由端部Ｃ側の空気袋１６ｃを通して給排気されるように構成されており、同様に、固定端部Ａ側の空気袋１６ｂは、自由端部Ｃ側の空気袋１６ａを通して給排気され、又、右脚用施療凹部１２ｄの凹部内側面に肢体受け１３の前後方向に並んだ複数の空気袋１５ｃ、１５ｄの内で固定端部Ａ側の空気袋１５ｄは、自由端部Ｃ側の空気袋１５ｃを通して給排気されるように構成されており、同様に、固定端部Ａ側の空気袋１５ｂは、自由端部Ｃ側の空気袋１５ａを通して給排気されるように構成されている。
【００５９】
なお、以上の点以外の構成は、図９〜図１１に図示されない構成を含めて前記第１参考例と同じである。従って、この第１実施形態においても、前記課題を解決することができる。
【００６０】
しかも、既述の構成の空気袋ユニット４１を用いたことにより、脚用の各空気袋１５ａ〜１５ｄ、１６ａ〜１６ｄが夫々膨脹する場合には、初めに各空気袋ユニット４１の自由端部Ｃ側の空気袋１５ａ、１５ｃ、１６ａ、１６ｃが膨脹し、次に、固定端部Ａ側の空気袋１５ｂ、１５ｄ、１６ｂ、１６ｄが膨脹するため、先に膨脹を開始した自由端部Ｃ側の空気袋１５ａ、１５ｃ、１６ａ、１６ｃが膨脹完了状態にある時に、固定端部Ａ側の空気袋１５ｂ、１５ｄ、１６ｂ、１６ｄの膨脹が完了する。
【００６１】
そのため、自由端部Ｃ側の空気袋１５ａ、１５ｃ、１６ａ、１６ｃは自らの膨脹により、肢体受け１３の前方向に寄せられるだけではなく、次に膨脹を完了する固定端部Ａ側の空気袋１５ｂ、１５ｄ、１６ｂ、１６ｄの膨脹に伴って、これら空気袋１５ｂ、１５ｄ、１６ｂ、１６ｄが肢体受け１３の前方向に寄せられる分だけ、更に肢体受け１３の前方向に引き寄せられる。
【００６２】
このように第１実施形態においては、施療凹部１２ｄ、１２ｅ内の脚に肢体受け１３の前方向への力を、個々の空気袋１５ａ〜１５ｄ、１６ａ〜１６ｄの膨脹に伴って与えるだけではなく、先に膨脹した空気袋１５ａ、１５ｃ、１６ａ、１６ｃが膨脹を完了して脚に側方から圧接している状態のまま、これらの空気袋１５ａ、１５ｃ、１６ａ、１６ｃを他の空気袋１５ｂ、１５ｄ、１６ｂ、１６ｄの膨脹により固定端部Ａ側に引き寄せて、前記力を更に与えることができる。そのため、使用者の心臓に向かうより強い血流を促しつつ、恰も揉み上げるような効果的なマッサージをすることができる。
【００６３】
図１２〜図１４は本発明の第２実施形態を示している。この第２実施形態は、基本的には前記第１参考例と同じであるので、第１参考例と同一の構成については第１参考例と同一符号を付して、その説明を省略し、以下第１参考例とは異なる構成及び作用のみを説明する。
【００６４】
第２実施形態が第１参考例と相違する点は、凹部内側面に前後方向に並べて配設される複数の空気袋を互いに独立させて一体に連続させた空気袋ユニット４５とし、これらを同期して膨脹させるようにした点にある。
【００６５】
すなわち、各空気袋ユニット４５は同一の構成であるため、ここでは図１３に示す左脚用の空気袋１６ｃ、１６ｄを有する空気袋ユニット４５で代表して説明する。このユニット４５は、固定端部Ａ側に空気袋１６ｄが設けられ、自由端部Ｃ側に空気袋１６ｃが設けられていて、これら空気袋１６ｃ、１６ｄは相互間に設けた熱融着部４６によって区切られて、独立して膨脹・収縮ができるように形成されている。そして、夫々の空気袋１６ｃ、１６ｄの裏面には給排気口４７が個別に設けられている。
【００６６】
又、図１４に示すようにエアー給排気装置３４は、前記電磁開閉弁２１に加えて前記分岐供給管２６ｂに接続された他の電磁開閉弁４８を備えている。この電磁開閉弁４８は電磁開閉弁２１と同様にも流路を閉じた時に左脚用の各空気袋１６ａ〜１６ｄのみを大気中に連通させる排気ポ−トを有している。電磁開閉弁２１に接続された脚用給排気管３３は、右脚用空気袋１５ａ〜１５ｄの給排気口４７に個別に接続されている。そして、他方の電磁開閉弁４８に接続された脚用給排気管４９は、右脚用空気袋１５ａ〜１５ｄの給排気口４７に個別に接続されている。両電磁開閉弁２１、４８は制御装置２２によって同時或は個別に開閉されるようになっている。
【００６７】
なお、以上の点以外の構成は、図１２〜図１４に図示されない構成を含めて前記第１参考例と同じである。従って、この第２実施形態においても、前記課題を解決することができる。
【００６８】
しかも、既述の構成の空気袋ユニット４５を用いたことにより、脚用の各空気袋１５ａ〜１５ｄ、１６ａ〜１６ｄが夫々同期して膨脹する場合には、自由端部Ｃ側の空気袋１５ａ、１５ｃ、１６ａ、１６ｃが自らの膨脹により、肢体受け１３の前方向に寄せられるだけではなく、固定端部Ａ側の空気袋１５ｂ、１５ｄ、１６ｂ、１６ｄの膨脹に伴って、これら空気袋１５ｂ、１５ｄ、１６ｂ、１６ｄが肢体受け１３の前方向に寄せられる分だけ、更に肢体受け１３を前方向に引き寄せることができる。こうした自由端部Ｃ側の空気袋１５ａ、１５ｃ、１６ａ、１６ｃの固定端部Ａ側への引き寄せにより、使用者の心臓に向かうより強い血流を促しつつ、恰も揉み上げるような効果的なマッサージをすることができる。
【００６９】
なお、第２実施形態では、右脚用空気袋１５ａ〜１５ｄへの空気の給排気を行わせる電磁開閉弁４８と、左脚用空気袋１６ａ〜１６ｄへの空気の給排気を行わせる電磁開閉弁２１を備えているから、いずれか一方を使用することにより片足だけを選択的にマッサージすることができるとともに、使用者の好みに応じてリモートコントローラ３５を介して入力される指令に基づいて制御装置２２により、両電磁開閉弁２１、４８の開閉タイミングをずらす場合には、そのタイミングに応じて右脚と左脚のマッサージ動作をずらすことができる。
【００７６】
【発明の効果】
以上詳記したように請求項１、２に係る発明の椅子式エアーマッサージ機によれば、エアー給排気装置の給気動作に伴い膨脹する空気袋が施療凹部内の使用者の下肢を圧迫する際に、前記下肢に対して肢体受けの前方向への力を与えるから、それにより、前記空気袋の膨脹・収縮の繰り返しにより使用者の心臓に向かう血流を促して恰も揉み上げるようなマッサージをすることができる。この場合、施療凹部内の下肢に肢体受けの前方向への力を、個々の空気袋の膨脹に伴って与えるだけではなく、先に膨脹した空気袋よりも固定端部側に隣接した空気袋の膨脹に伴い、既に膨脹状態にある先の空気袋を固定端部側に引き寄せて前記力を与えるので、より効果的に使用者の心臓に向かう血流を促して恰も揉み上げるようなマッサージをすることができる。しかも、空気袋の前端部のみを凹部内側面に固定して、この空気袋の固定に要する固定部品数を削減したから、空気袋の取付け構造が簡単で安価な椅子式エアーマッサージ機を提供できる。
【図面の簡単な説明】
【図１】  本発明の第１参考例に係る椅子式エアーマッサージ機の構成を示す斜視図。
【図２】  図１のエアーマッサージ機が備える脚載置部の構成を示す斜視図。
【図３】  図２中矢印Ｘ方向から見て示す前記脚載置部の正面図。
【図４】  図２中矢印Ｗ方向から見て示す前記脚載置部の平面図。
【図５】  図４中Ｚ−Ｚ線に沿う脚載置部の断面図。
【図６】  図１のエアーマッサージ機の各空気袋に対する圧縮空気の給排気系統を示すブロック図。
【図７】  本発明の第２参考例に係る椅子式エアーマッサージ機が備える脚載置部の構成を示す平面図。
【図８】  図７中Ｙ−Ｙ線に沿う脚載置部の断面図。
【図９】  本発明の第１実施形態に係る椅子式エアーマッサージ機が備える脚載置部の構成を示す平面図。
【図１０】  図９の脚載置部が有する空気袋ユニットの構成をその固定部品とともに示す斜視図。
【図１１】  図９のエアーマッサージ機の各空気袋に対する圧縮空気の給排気系統を示すブロック図。
【図１２】  本発明の第２実施形態に係る椅子式エアーマッサージ機が備える脚載置部の構成を示す平面図。
【図１３】  図１２の脚載置部が有する空気袋ユニットの構成をその固定部品とともに示す斜視図。
【図１４】  図１２のエアーマッサージ機の各空気袋に対する圧縮空気の給排気系統を示すブロック図。
【符号の説明】
１…椅子本体
２…座部
３…背凭れ部
１２…脚載置部
１２ａ、１２ｂ…側壁
１２ｃ…中間壁
１２ｄ、１２ｅ…施療凹部
１３…肢体受け
１５ａ〜１５ｄ…空気袋
１６ａ〜１６ｄ…空気袋
３４…エアー給排気装置
４１、４５…空気袋ユニット
４２…連通路
４３…熱融着部
４４…給排気口
４６…熱融着部
４８…給排気口
Ａ…固定端部
Ｂ…固定部品
Ｃ…自由端部
Ｄ…自由端部の移動量
【図１】
0003912953.tif 000002
【図２】
0003912953.tif 000003
【図３】
0003912953.tif 000004
【図４】
0003912953.tif 000005
【図５】
0003912953.tif 000006
【図６】
0003912953.tif 000007
【図７】
0003912953.tif 000008
【図８】
0003912953.tif 000009
【図９】
0003912953.tif 000010
【図１０】
0003912953.tif 000011
【図１１】
0003912953.tif 000012
【図１２】
0003912953.tif 000013
【図１３】
0003912953.tif 000014
【図１４】
0003912953.tif 000015